(57)【要約】【課題】複数の異なる種類のカード（プリペイドカード／ハウスカード）の精算処理を１台のカード精算処理機で実現できる記録媒体精算装置を備えた記録媒体精算システムを提供する。【解決手段】カード挿入／返却口５２５から投入されたプリペイドカードかハウスカードの記録情報（識別ＩＤ）をカード情報読取部５５０により読み取り、読み取ったカード情報を第1遊技種別制御部５６０および第２遊技種別制御部５７０により、精算目的のカードがパチンコ用のカードかパチスロ用のカードかを解析し、解析された遊技種別に基づいて、パチンコ用管理装置２００かパチスロ用管理装置３００のうち、いずれか一方の管理装置に対して、残金情報の取得要求をおこない精算情報を取得する。【選択図】        図１
2005342164.tif 000002
【特許請求の範囲】
【請求項１】
外部から投入された記録媒体を受け入れ、該受け入れた記録媒体に記録された記録情報に基づいて、該記録情報に関連付けられた残金額を貨幣に精算する記録媒体精算装置を備えた記録媒体精算システムであって、
前記記録媒体精算装置は、
前記記録媒体に記録された記録情報を読み取る記録情報読取手段と、
前記記録情報読取手段により読み取られた記録情報に基づいて、前記記録媒体が、第１の記録媒体か第２の記録媒体であるかを遊技種別に解析する遊技種別制御手段と、
前記第１の記録媒体に記録された記録情報に対応する精算情報の管理をおこなう第１の管理装置と、前記第２の記録媒体に記録された記録情報に対応する精算情報の管理をおこなう第２の管理装置とを備え、
前記遊技種別制御手段は、
前記記録媒体種別に基づいて、前記第１の管理装置と前記第２の管理装置のうち、いずれか一方の精算情報を選択して取得する機能を備えることを特徴とする記録媒体精算システム。
【請求項２】
前記遊技種別制御手段は、前記記録媒体が、第１の記録媒体であると識別されたときに前記第１の管理装置に対して精算情報の取得要求をおこなうとともに、前記記録媒体が、第２の記録媒体であると識別されたときに前記第２の管理装置に対して精算情報の取得要求をおこなうことを特徴とする請求項１に記載の記録媒体精算システム。
【請求項３】
前記遊技種別制御手段は、前記第１の記録媒体に記録された記録情報に対応する精算情報を、前記第１の管理装置から取得する第１の遊技種別制御手段と、前記第２の記録媒体に記録された記録情報に対応する精算情報を、前記第２の管理装置から取得する第２の遊技種別制御手段とから構成されていることを特徴とする請求項１に記載の記録媒体精算装置を備えた記録媒体精算システム。
【請求項４】
前記第１の遊技種別制御手段は、前記記録媒体が、第１の記録媒体であると識別されたときに前記第１の管理装置に対して精算情報の取得要求をおこなうとともに、前記第２の遊技種別制御手段は、前記記録媒体が、第２の記録媒体であると識別されたときに前記第２の管理装置に対して精算情報の取得要求をおこなうことを特徴とする請求項３に記載の記録媒体精算システム。
【請求項５】
前記第１、２の管理装置は、
前記第１、２の記録媒体に記録されている記録情報に関連付けて、遊技種別に関連付けた残金情報を記憶する残金情報管理テーブルを備えていることを特徴とする請求項１〜４のいずれか一つに記載の記録媒体精算システム。
【請求項６】
前記第１、２の管理装置は、
前記第１、２の遊技種別制御手段のいずれかから精算情報の取得要求が通知された際には、前記残金情報管理テーブルに記憶されている残金情報を精算情報として送信することを特徴とする請求項３、４または５に記載の記録媒体精算システム。
【請求項７】
遊技ホールにおける時間帯を判定する時間帯判定手段を備え、当該時間帯判定手段により判定された時間帯に基づいて、前記第１の遊技種別制御手段か第２の遊技種別制御手段による精算情報の取得要求を選択して切り換えることを特徴とする請求項３〜６のいずれか一つに記載の記録媒体精算システム。
【請求項８】
前記第１、２の遊技種別制御手段は、前記第１、２の管理装置から所定の記録情報に対応して精算情報の取得をおこなった際には、前記第１、２の管理装置に対して精算処理後の精算処理情報を送信することを特徴とする請求項３〜７のいずれか一つに記載の記録媒体精算システム。
【請求項９】
前記記録媒体読取手段は、複数の記録媒体に記録された特定の情報を読み取る機能を備えるとともに、第１の記録媒体は、パチンコ遊技で使用可能なプリペイドカードであり、第２の記録媒体は、パチスロ遊技で使用可能なハウスカードであることを特徴とする請求項１〜８のいずれか一つに記載の記録媒体精算システム。
【請求項１０】
前記第１、２の記録媒体は、会員を対象とする磁気記録式の会員カードであることを特徴とする請求項１〜８のいずれか一つに記載の記録媒体精算システム。
【請求項１１】
前記第１、２の管理装置は、会員を対象とする各遊技種別のサービスポイントを格納するサービスポイント記憶テーブルを備え、
前記記録媒体精算装置は、
前記会員カードによる会員コードの読み取り時に、前記サービスポイント記憶テーブル内に格納された各サービスポイントを会員コードに関連付けて合算する機能を備えることを特徴とする請求項１０に記載の記録媒体精算システム。
【発明の詳細な説明】
【技術分野】
【０００１】
本発明は、遊技の種類が異なる遊技機（パチンコ／スロットマシン）が併設された遊技ホールにおいて、プリペイドカードやハウスカードなどの記録媒体を受け入れ、該受け入れた記録媒体の有価価値に基づいて貨幣を精算する記録媒体精算装置を備えた記録媒体精算システムに関する。
【背景技術】
【０００２】
従来より、パチンコ玉やメダルなどの遊技媒体を遊技機に投入して遊技をおこなうパチンコ機やスロット機などの遊技機が知られている。これら２種類の遊技機（パチンコ機／スロット機）が配置された遊技ホールにおいて、遊技をおこなう場合、パチンコ遊技では、プリペイドカードが、スロット遊技ではハウスカードなどが用いられ、これらの記録媒体（カード）を使用してパチンコ玉やメダルを借り受け、遊技をおこなうようにしている。
【０００３】
また、通常、このようなカード（プリペイドカード／ハウスカード）が用いられる遊技場システム（遊技ホール）では、遊技後のプリペイドカードやハウスカードの残金（残度数）を貨幣に精算するためカード精算機が設けられている。すなわち、遊技後のカード（プリペイドカード／ハウスカード）に残度数（残金）があるとき、遊技客がこのカードをカード精算機に挿入して所定の精算操作をおこなえば、カードに記録されている残度数分の貨幣の払い戻し（精算処理）をおこなうことができる。
【０００４】
また、この種のカード精算機に関連する従来技術として、例えば、特許文献１では、ターミナルコントローラ（Ｔ／Ｃ）で、プリペイドカードによる残金情報を管理することにより、精算時には、残金額をターミナルコントローラ（Ｔ／Ｃ）から取得して精算することのできる遊技システムが開示されている。また、例えば、特許文献２では、ハウスカードに未使用の残金がある場合に、このハウスカードをカード精算機に挿入することで、残金をカード情報を管理するターミナルコントローラから取得し、精算処理をおこなうことのできるメダル貸出機を使用した精算システムがそれぞれ開示されている。
【０００５】
【特許文献１】特開２００２−２８２５２２号公報
【特許文献２】特願２００２−２４５９９６号
【発明の開示】
【発明が解決しようとする課題】
【０００６】
しかしながら、上述した従来技術のように、遊技ホール内にパチンココーナーとパチスロコーナーが併設される場合には、パチンコ用のカード精算機とパチスロ用のカード精算機とが２種類存在するため、精算処理をおこなう利用客（遊技客）にとっては、利便性があまり良いとは言えないという問題がある。
【０００７】
これを具体的に説明すると、従来のカード精算機は、同一種類、同一媒体のカードしか取り扱うことができないため、遊技機の種類に対応して遊技ホール内に多数のカード精算機を用意する必要があり、設置スペース、機器コストが増大するという問題がある。また、複数のカード精算機に収納する精算金を用意する必要があるので、余計な経費が発生するうえ、営業中での現金補充、閉店後の現金回収など店員の作業負担および管理労力が増大するという問題がある。
【０００８】
さらに、遊技ホール内に多数のカード精算機が存在するので、どの種類、どの媒体のカードがどのカード精算機に対応するのかわかりにくく、遊技客にとっては極めて利便性が悪いという問題がある。
【０００９】
また、遊技ホール内の各機器はターミナルコントローラなどの管理装置にネットワーク接続されて管理されていることが多いが、遊技機の種類に応じてカード精算機が複数有り、接続する機器数が多くなると、通信負荷の増大にともない通信効率が低下するという問題がある。
【００１０】
そこで、この発明は、上述した従来技術の課題を解決するためになされたものであり、パチンコ遊技による精算とパチスロ遊技による複数の異なる種類のカード（プリペイドカード／ハウスカード）の精算処理を１台のカード精算処理機で実現することで、設置スペースやコスト的な問題を解消するとともに、遊技客の利便性を向上することができる記録媒体精算装置を備えた記録媒体精算システムを提供することを目的とする。
【課題を解決するための手段】
【００１１】
上述した課題を解決し、目的を達成するために、請求項１に記載の発明は、外部から投入された記録媒体を受け入れ、該受け入れた記録媒体に記録された有価価値に基づいて、該有価価値を精算残額として貨幣に精算する記録媒体精算装置を備えた記録媒体精算システムであって、外部から投入された記録媒体を受け入れ、該受け入れた記録媒体に記録された記録情報（識別ＩＤ）に基づいて、該記録情報に関連付けられた残金額を貨幣に精算する記録媒体精算装置を備えた記録媒体精算システムであって、前記記録媒体に記録された記録情報を読み取る記録情報読取手段と、前記記録情報読取手段により読み取られた記録情報に基づいて、前記記録媒体が、第１の記録媒体か第２の記録媒体であるかを遊技種別に解析する遊技種別制御手段と、前記第１の記録媒体に記録された記録情報（識別ＩＤ）に対応する精算情報の管理をおこなう第１の管理装置と、前記第２の記録媒体に記録された記録情報（識別ＩＤ）に対応する精算情報の管理をおこなう第２の管理装置とを備え、前記遊技種別制御手段は、解析された記録媒体種別に基づいて、前記第１の管理装置と前記第２の管理装置のうち、いずれか一方の精算情報を選択して取得する機能を備えることを特徴とする。
【００１２】
また、請求項２に記載の発明は、請求項１に記載の発明において、前記遊技種別制御手段は、前記記録媒体が、第１の記録媒体であると識別されたときに前記第１の管理装置に対して精算情報の取得要求をおこなうとともに、前記記録媒体が、第２の記録媒体であると識別されたときに前記第２の管理装置に対して精算情報の取得要求をおこなうことを特徴とする。
【００１３】
また、請求項３に記載の発明は、請求項１に記載の発明において、前記遊技種別制御手段は、前記第１の記録媒体に記録された識別ＩＤに対応する精算情報を、前記第１の管理装置から取得する第１の遊技種別制御手段と、前記第２の記録媒体に記録された識別ＩＤに対応する精算情報を、前記第２の管理装置から取得する第２の遊技種別制御手段とから構成されていることを特徴とする。
【００１４】
また、請求項４に記載の発明は、請求項３に記載の発明において、前記第１の遊技種別制御手段は、前記記録媒体が、第１の記録媒体であると識別されたときに前記第１の管理装置に対して精算情報の取得要求をおこなうとともに、前記第２の遊技種別制御手段は、前記記録媒体が、第２の記録媒体であると識別されたときに前記第２の管理装置に対して精算情報の取得要求をおこなうことを特徴とする。
【００１５】
また、請求項５に記載の発明は、請求項１〜４のいずれか一つに記載の発明において、前記第１、２の管理装置は、前記第１、２の記録媒体に記録されている記録情報（識別ＩＤ）に関連付けて、遊技種別に関連付けた残金情報を記憶する残金情報管理テーブルを備えていることを特徴とする。
【００１６】
また、請求項６に記載の発明は、請求項３、４または５に記載の発明において、前記第１、２の管理装置は、前記第１、２の遊技種別制御手段のいずれかから精算情報の取得要求が通知された際には、前記残金情報管理テーブルに記憶されている残金情報を精算情報として送信することを特徴とする。
【００１７】
また、請求項７に記載の発明は、請求項３〜６のいずれか一つに記載の発明において、遊技ホールにおける時間帯を判定する時間帯判定手段を備え、当該時間帯判定手段により判定された時間帯に基づいて、前記第１の遊技種別制御手段か第２の遊技種別制御手段による精算情報の取得要求を選択して切り換えることを特徴とする。
【００１８】
また、請求項８に記載の発明は、請求項３〜７のいずれか一つに記載の発明において、前記第１、２の遊技種別制御手段は、前記第１、２の管理装置から所定の識別ＩＤに対応して精算情報の取得をおこなった際には、前記第１、２の管理装置に対して精算処理後の精算処理情報を送信することを特徴とする。
【００１９】
また、請求項９に記載の発明は、請求項１〜８のいずれか一つに記載の発明において、記録媒体読取手段は、複数の記録媒体に記録された特定の情報を読み取る機能を備えるとともに、第１の記録媒体は、パチンコ遊技で使用可能なプリペイドカードであり、第２の記録媒体は、パチスロ遊技で使用可能なハウスカードであることを特徴とする。
【００２０】
また、請求項１０に記載の発明は、請求項１〜８のいずれか一つに記載の発明において、前記第１、２の記録媒体は、会員を対象とする磁気記録式の会員カードであることを特徴とする。
【００２１】
また、請求項１１に記載の発明によれば、請求項１０に記載の発明において、前記第１、２の管理装置は、会員を対象とする各遊技種別のサービスポイントを格納するサービスポイント記憶テーブルを備え、前記記録媒体精算装置は、前記会員カードによる会員コードの読み取り時に、前記サービスポイント記憶テーブル内に格納された各サービスポイントを会員コードに関連付けて合算する機能を備えることを特徴とする。
【発明の効果】
【００２２】
請求項１に記載の発明は、外部から投入された記録媒体を受け入れ、該受け入れた記録媒体に記録された記録情報（識別ＩＤ）に基づいて、該記録情報に関連付けられた残金額を貨幣に精算する記録媒体精算装置を備えた記録媒体精算システムであって、前記記録媒体精算装置は、前記記録媒体に記録された記録情報を読み取る記録情報読取手段と、前記記録情報読取手段により読み取られた記録情報に基づいて、前記記録媒体が、第１の記録媒体か第２の記録媒体であるかを遊技種別に解析（判別）する遊技種別制御手段と、前記第１の記録媒体に記録された記録情報（識別ＩＤ）に対応する精算情報の管理をおこなう第１の管理装置と、前記第２の記録媒体に記録された記録情報（識別ＩＤ）に対応する精算情報の管理をおこなう第２の管理装置とを備え、前記遊技種別制御手段は、前記記録媒体種別に基づいて、前記第１の管理装置と前記第２の管理装置のうち、いずれか一方の精算情報を選択して取得する機能を備えるので、複数の異なる種類のカードを精算できることから、スペース的、コスト的、精算準備金、通信負荷の問題が解消され、遊技者の利便性を向上させることができるという効果を奏する。
【００２３】
また、複数の異なる種類のカード（プリペイドカード／会員カードおよびハウスカード）についての精算処理を１台のカード精算機でおこなうことができるので、スペース的、コスト的な問題が解消され、遊技者の利便性を向上させることができるという効果を奏する。
【００２４】
また、カード精算機を遊技ホール内の別々の場所に設置する必要がないため、精算準備金を少なくすることができ、通信負荷を小さくすることができる、これによって、遊技客の利便性の向上を図れるうえ、遊技ホールの設備投資を抑止できるという効果を奏する。
【００２５】
また、請求項２に記載の発明によれば、前記遊技種別制御手段は、前記記録媒体が、第１の記録媒体であると識別されたときに前記第１の管理装置に対して精算情報の取得要求をおこなうとともに、前記記録媒体が、第２の記録媒体であると識別されたときに前記第２の管理装置に対して精算情報の取得要求をおこなうので、個別の制御部により確実に精算情報を取得することができるという効果を奏する。
【００２６】
また、請求項３に記載の発明によれば、前記遊技種別制御手段は、前記第１の記録媒体に記録された識別ＩＤに対応する精算情報を、前記第１の管理装置から取得する第１の遊技種別制御手段と、前記第２の記録媒体に記録された識別ＩＤに対応する精算情報を、前記第２の管理装置から取得する第２の遊技種別制御手段とから構成されるので、第１、２の遊技種別制御手段に対応した個別の管理装置により確実に精算情報を取得することができるという効果を奏する。
【００２７】
また、請求項４に記載の発明は、請求項３に記載の発明において、前記第１の遊技種別制御手段は、前記記録媒体が、第１の記録媒体であると識別されたときに前記第１の管理装置に対して精算情報の取得要求をおこなうとともに、前記第２の遊技種別制御手段は、前記記録媒体が、第２の記録媒体であると識別されたときに前記第２の管理装置に対して精算情報の取得要求をおこなうので、個別の遊技種別制御部により確実に精算情報を取得することができるという効果を奏する。
【００２８】
また、請求項５に記載の発明によれば、前記第１、２の管理装置は、前記第１、２の記録媒体に記録されている記録情報（識別ＩＤ）に関連付けて、遊技種別に関連付けた残金情報を記憶する残金情報管理テーブルを備えているので、この残金情報管理テーブルに記憶された残金情報に基づいて、正確に精算金額を算出することができるという効果を奏する。
【００２９】
また、請求項６に記載の発明によれば、前記第１、２の管理装置は、前記第１、２の遊技種別制御手段のいずれかから精算情報の取得要求が通知された際には、前記残金情報管理テーブルに記憶されている残金情報を精算情報として送信するので、精算金額の取得要求時には、残金情報管理テーブルに記憶されている残金情報に基づいて、精算金額を正確に取得することができるという効果を奏する。
【００３０】
また、請求項７に記載の発明によれば、遊技ホールにおける時間帯を判定する時間帯判定手段を備え、当該時間帯判定手段により判定された時間帯に基づいて、前記第１の遊技種別制御手段か第２の遊技種別制御手段による精算情報の取得要求を選択して切り換えるので、特定の時間帯に応じた遊技客の利便性を向上することができるうえ、遊技ホールの売上向上にも寄与することができるという効果を奏する。
【００３１】
また、請求項８に記載の発明によれば、前記第１、２の遊技種別制御手段は、前記第１、２の管理装置から所定の識別ＩＤに対応して精算情報の取得をおこなった際には、前記第１、２の管理装置に対して精算処理後の精算処理情報を送信するので、第１、２の遊技種別制御手段に対応した個別の管理装置により確実に精算情報を取得することができるという効果を奏する。
【００３２】
また、請求項９に記載の発明によれば、記録媒体読取手段は、複数の記録媒体に記録された特定の情報を読み取る機能を備えるとともに、第１の記録媒体は、パチンコ遊技で使用可能なプリペイドカードであり、第２の記録媒体は、パチスロ遊技で使用可能なハウスカードであるので、精算用カードとして使用できる記録媒体に制約を受けることがないため、遊技客による精算時の利便性を向上できるという効果を奏する。
【００３３】
また、請求項１０に記載の発明によれば、前記第１、２の記録媒体は、会員を対象とする磁気記録式の会員カードであることを特徴とするので、会員が所有する会員カードをパチンコ遊技およびパチスロ遊技の両者に対する精算用のカードとして利用できることから、会員に対する精算時の利便性の向上を図ることができるという効果を奏する。
【００３４】
また、請求項１１に記載の発明によれば、前記第１、２の管理装置は、会員を対象とする各遊技種別のサービスポイントを格納するサービスポイント記憶テーブルを備え、前記記録媒体精算装置は、前記会員カードによる会員コードの読み取り時に、前記サービスポイント記憶テーブル内に格納された各サービスポイントを会員コードに関連付けて合算する機能を備えるので、会員に対する特典として設定されているサービスポイント制度を有効に活用できるという効果を奏する。
【発明を実施するための最良の形態】
【００３５】
以下に、添付図面を参照して、この発明に係る記録媒体精算システムの好適な実施例を詳細に説明する。なお、以下に示す実施例では、本発明に係る記録媒体精算システムの概要および特徴を説明した後に、カード精算処理機５００による精算処理手順を説明し、最後に、他の実施例として種々の変形例を説明することとする。なお、以下に示す実施例によりこの発明が限定されるものではない。
【実施例】
【００３６】
（記録媒体精算システムの概要および特徴）
まず最初に、図１を参照して、本実施例に係る記録媒体精算システムの概要および特徴を説明する。図１は、本実施例１に係るカード精算処理機を備えた記録媒体精算システムの構成を示すシステム構成図である。
【００３７】
すなわち、図１に示すように本発明に係る記録媒体精算システムでは、パチンコ遊技とパチスロ遊技による精算処理を１台のカード精算処理機５００でおこなう構成としたことにある。このため、カード精算処理機５００は、遊技客が精算目的で挿入するカードのカード情報を解析するパチンコシステム用の第１遊技種別制御部５６０と、パチスロシステム用の第２遊技種別制御部５７０とを備えるとともに、これら第１、２遊技種別制御部５６０、５７０のいずれかにより、精算用のカードがパチンコシステム用かパチスロシステム用かを解析し、パチンコ遊技による精算情報が管理されているパチンコ用管理装置２００か、パチスロ遊技による精算情報が管理されているパチスロ用管理装置３００のいずれかから、カードに記録されたカード情報（識別ＩＤ）に対応する残金情報を精算情報として取得することに主な特徴がある。
【００３８】
この主たる特徴を具体的に説明すると、図１に示すように、カード精算処理機５００は、カード挿入／返却口５２５から取り込んだ複数種類の記録媒体（プリペイドカード／ハウスカード）によるカード情報（識別ＩＤ）をカード情報読取部５５０により読み取り、取得したカード情報をパチンコシステム用の第１遊技種別制御部５６０およびパチスロシステム用の第２遊技種別制御部５７０にそれぞれ送信する。
【００３９】
次いで、これら第１、２遊技種別制御部５６０、５７０は、カード情報読取部５５０から通知された識別ＩＤに基づいて、精算目的で挿入されたカードがパチンコ用のカードかパチスロ用のカードかを解析し、例えば、第１遊技種別制御部５６０によりパチンコ用のプリペイドカードであると解析された場合には、この第１遊技種別制御部５６０からパチンコ用管理装置２００に対して、識別ＩＤに対応する精算情報の問い合わせをおこない、第２遊技種別制御部５７０によりパチスロ用のカードであると解析された場合には、この第２遊技種別制御部５７０からパチスロ用管理装置３００に対して、識別ＩＤに対応する精算情報の問い合わせをおこなうようにしている。
【００４０】
一方、パチンコ用管理装置２００は、第１遊技種別制御部５６０から精算情報の取得要求を受信するとプリペイドカード管理テーブル２１１（図３）から識別ＩＤに対応する残金情報を精算情報として、カード精算処理機５００に送信し、パチスロ用管理装置３００は、第２遊技種別制御部５７０から精算情報の取得要求を受信するとハウスカード管理テーブル３１１（図４）から識別ＩＤに対応する残金情報を精算情報として、送信するようにしている。
【００４１】
したがって、パチンコ遊技によるプリペイドカードや会員カードに記録されたカード情報に基づいて、パチンコ用管理装置２００から残金情報を精算情報として取得し、精算処理をおこなうことができる。また、同様に、パチスロ遊技によるハウスカードや会員カードに記録されたカード情報に基づいて、パチスロ用管理装置３００から残金情報を精算情報として取得し、精算処理をおこなうことができる。これによって、１台のカード精算処理機５００により、複数種類（プリペイドカード／ハウスカード／会員カード）の記録媒体を対象とした精算処理を効率的にをおこなうことができる。
【００４２】
（記録媒体精算システムの構成）
次に、本実施例１に係る記録媒体精算システムの構成について詳細に説明する。図２は、本実施例に係る記録媒体精算システムが適用される遊技ホールの概略構成を示す全体構成図である。ここで、図２に示す記録媒体精算システムは、パチンコ機によりパチンコ遊技をおこなえるパチンココーナーＡとパチスロ機によりパチスロ遊技をおこなうパチスロコーナーＢとが併設されている遊技ホールを想定している。また、本発明の記録媒体精算システムに適用する記録媒体（精算用のカード）としては、パチンコシステムで利用するプリペイドカードおよび会員カードとパチスロシステムで利用するハウスカードおよび会員カードを対象としている。
【００４３】
ここで、先ず、記録媒体精算システムで用いられるカードの概要について簡単に説明する。この記録媒体精算システムでは、前述したように、主に、プリペイドカードおよび会員カードとハウスカードの３種類の記録媒体（磁気記録カード）が用いられている。これら３種のカードのうち、プリペイドカードは、カード発行機１８０により貨幣などを受け入れて発行されるもので、磁気カードにより構成されている。ここで、本例では、カード情報読取部５５０により読み取られるプリペイドカードのカード情報は、プリペイドカードの識別ＩＤとなる。
【００４４】
会員カードは、住所や氏名などの会員情報を登録した会員（遊技客）に対して遊技店が発行する合成樹脂製のカード（ＪＩＳII）であり、各種の情報が磁気記録および印字してある。具体的には、発行店の識別情報や会員コードなどの会員識別情報が磁気記録してあるとともに、発行した店コード、会員コードなどの情報が印字してあり、記録内容の一部を目視できるようになっている。ここで、本例では、カード情報読取部５５０により読み取られる会員カードのカード情報（識別ＩＤ）は、会員カードの会員コード番号となる。ここで、この会員カードは、パチンコ遊技およびパチスロ遊技の両方で利用できるカードであり、後述するように、この会員カードを使用してパチンコ遊技およびパチスロ遊技による残金を精算することができる。
【００４５】
ハウスカードとは、その店舗（遊技ホール）のみに有効となる継続遊技用および精算用のカードとしての機能を備えている。具体的には、遊技後に遊技していたパチスロ機から別のパチスロ機に移動する場合やカード精算処理機５００により精算をおこなう場合に使用するカードであり、例えば、メダル貸出機１６０に対する投入金額が５０００円であり、パチスロ遊技により３０００円分使用した後、別のパチスロ機に移動した際には、このハウスカードを、移動したメダル貸出機１６０に挿入することにより、残金の２千円を使用して、スロット遊技を継続しておこなうことができる。また、このハウスカードによりカード精算処理機５００を使用して精算をおこなう場合には、残金の２千円（５千円−３千円＝２千円）を精算することができる。
【００４６】
以下、図２を参照して、記録媒体精算システムの詳細について説明する。すなわち、同図に示すように、記録媒体精算システム１００は、パチンココーナーＡとパチスロコーナーＢとに区分されるとともに、それぞれ「島」と呼ばれるグループごとに配設された複数のパチンコ機１３０およびカード処理機１４０と、パチスロ機１５０およびメダル貸出機１６０と、島コントローラ１１０、１２０と、パチンコ用管理装置２００（Ｔ／Ｃ）とパチスロ用管理装置３００（Ｔ／Ｃ）と、カード精算処理機５００とから構成されている。
【００４７】
カード精算処理機５００は、プリペイドカードや会員カードに記録されたカード情報に関連付けられた残度数を現金として払い戻す処理を主機能とするものである。前述したように、このカード精算処理機５００は、本発明の特徴部分であるため、このカード精算処理機５００についての詳細は後述する。
【００４８】
島コントローラ１１０は、パチンココーナーＡに設けられた島内のパチンコ機１３０、カード処理機１４０に対する制御機能および管理機能を備えている。また、島コントローラ１２０は、パチスロコーナーＢに設けられた島内のパチスロ機１５０、メダル貸出機１６０に対する制御機能および管理機能を備えている。また、島コントローラ１１０による制御情報は、パチンコ用の管理装置２００に、島コントローラ１２０による制御情報は、パチスロ用の管理装置３００により一括管理されている。また、島コントローラ１１０には、貨幣の投入によりプリペイドカードを発行するためのカード発行機１８０が適宜設けてある。
【００４９】
パチンコ機１３０は、パチンコ玉を遊技領域に発射して遊技をおこなう装置であり、度数表示部、貸出ボタンなどが設けられている。また、カード処理機１４０は、遊技店に設置された複数のパチンコ機１３０のそれぞれに対して１機ずつペアとなるように用意され、パチンコ機１３０の相互間に挟まれる形で設置され、パチンコ機１３０が備える玉投出機構と連携してパチンコ玉の貸し出しをおこなう機能を備えている。また、このカード処理機１４０の前面パネルには、紙幣投入口、硬貨投入口、カード挿入口、金額表示部などが設けられており、プリペイドカードや会員カードに関連付けられた残度数を上限とするパチンコ玉の貸し出し処理をおこなうことができる。
【００５０】
そして、カード処理機１４０は、プリペイドカードが挿入されると、パチンコ用管理装置２００のプリペイドカード管理テーブル２１１（図３）に問い合わせをおこない、プリペイドカードに関連付けられた度数情報を取得し、遊技客によるパチンコ機１３０への遊技媒体の貸し出し要求に基づき、残度数の範囲内で、遊技媒体（パチンコ玉）を貸し出す処理をおこなうようにしている。
【００５１】
パチスロ機１５０は、メダルを使用して回転する絵柄を揃える操作により遊技をおこなう遊技機である。メダル貸出機１６０は、このメダル貸出機１６０に紙幣やハウスカードが投入されたときに、所定量（例えば、１０００円で５０枚）のメダルを投出して遊技用のメダルの貸し出し処理をおこなう装置である。
【００５２】
カード発行機１８０は、プリペイドカードの発行処理、並びに会員カードを受け入れて、この会員カードに関連付けられた度数に対する加算処理を主機能としている。具体的には、カード発行機１８０を利用して遊技客が希望する有価対応分のプリペイドカードの発行およびこのプリペイドカード、会員カードに対する追加入金をおこなうことができる。
【００５３】
次に、図３および図４を参照してパチンコ用管理装置（Ｔ／Ｃ）２００とパチスロ用管理装置３００（Ｔ／Ｃ）の内部構成について説明する。パチンコ用管理装置（Ｔ／Ｃ）２００は、パチンコシステム全体を制御統括するコントローラであり、パチスロ用管理装置（Ｔ／Ｃ）３００は、パチスロシステム全体を制御統括するコントローラであり、具体的には、図３、４に示すように、ＲＡＭ２１０、３１０と、ＣＰＵ２３０、３４０と、ＲＯＭ２４０、３５０と、マウス、キーボードなどの入出力部２５０、３６０と、ＣＲＴなどの表示部２６０、３７０と、通信Ｉ／Ｆ部２７０、３８０とを有する。ＲＡＭ２１０には、プリペイドカードおよびパチンコ用として使用した会員カードによる購入度数および残金情報を管理するプリペイドカード管理テーブル２１１と会員カード管理テーブル２１２とが格納されている。また、ＲＡＭ３１０には、ハウスカードによる残金情報を管理するハウスカード管理テーブル３１１およびパチスロ用として使用した会員カードによる購入度数および残金情報を管理する会員カード管理テーブル３１２とが格納されている。
【００５４】
具体的に説明すると、パチンコ用管理装置２００は、プリペイドカードおよび会員カードの度数情報を含む各種情報を管理しており、カード処理機１４０にプリペイドカードあるいは会員カードが挿入された際に、これらカード内の識別ＩＤ（会員コード）がパチンコ用管理装置２００に格納されたプリペイドカード管理テーブル２１１および会員管理テーブル２１２に転送され、これらプリペイドカード管理テーブル２１１および会員管理テーブル２１２から識別ＩＤ（会員コード）に対応する価値情報（残度数）がカード処理機１４０に返送されることとなる。
【００５５】
また、パチスロ用管理装置３００は、ハウスカードおよび会員カードの度数情報を含む各種情報を管理しており、カード処理機１４０にハウスカードあるいは会員カードが挿入された際に、これらカード内の識別ＩＤ（会員コード）がパチスロ用管理装置３００に格納されたハウスカード管理テーブル３１１および会員管理テーブル３１２に転送され、これらハウスカード管理テーブル３１１および会員管理テーブル３１２から識別ＩＤ（会員コード）に対応する価値情報（残度数）がカード処理機１４０に返送されることとなる。
【００５６】
以上のように、パチンコ用管理装置２００およびパチスロ用管理装置３００は、これら各管理テーブル２１１、２１２、３１１、３１２内に記憶された度数管理情報を用いて、各カードに記録された識別データに対応する使用度数および残度数を管理している。また、これら各管理テーブル２１１、２１２、３１１、３１２内の度数管理情報の内容は、遊技者による遊技中、あるいは、精算処理時、遊技の終了時に適宜更新されることとなる。
【００５７】
ＣＰＵ２３０、３４０は、ＲＡＭ２１０、３１０内格納されている様々なプログラムを読み込んで実行することで各種機能を実現している。具体的には、ＣＰＵ２３０、３４０は、各遊技者の所有するプリペイドカード／会員カードおよびハウスカード／会員カードによる所有度数および残度数を、プリペイドカード管理テーブル２１１（会員管理テーブル２１２）およびハウスカード管理テーブル３１１（会員管理テーブル３１２）に基づいて管理する機能を有する。
【００５８】
また、このＣＰＵ２３０、３４０は、ＲＯＭ２４０、３５０に格納されたプログラムに基づいて、パチンコ遊技およびパチスロ遊技に関る処理を実行する機能を有する。表示部２６０、３７０は、上述した各種管理情報を表示する機能を備えており、本例では、残金情報を表示する機能を備えている。入出力部２５０、３６０は、店員などのオペレータが設定などをおこなう際に操作する機能を備えている。通信Ｉ／Ｆ部２７０、３８０は、カード精算処理機５００の第１通信Ｉ／Ｆ部５６５と第２通信Ｉ／Ｆ部５６６（図９）との間で、パチンコ用管理装置２００と、パチスロ用管理装置３００による管理情報の送受信をおこなうためのインターフェースとしての機能を備えている。
【００５９】
以下、プリペイドカード管理テーブル２１１と、パチンコ用の会員カード管理テーブル２１２と、ハウスカード管理テーブル３１１と、パチスロ用の会員カード管理テーブル３１２の詳細について説明する。図５に示すように、プリペイドカード管理テーブル２１１には、プリペイドカードの識別ＩＤ毎に、この識別ＩＤ（Ａ０００００１、Ａ０００００２・・・）に対応する購入度数、使用度数、残度数などの各種データが記憶されている。本例では、この残度数が各プリペイドカード毎の精算金額となる。なお、残度数の欄には、カード処理機１４０での追加入金も含めた現時点の残度数データも登録されている。また、識別ＩＤの先頭記号Ａは、４種類のカード（プリペイドカード、パチンコ用の会員カード、ハウスカード、パチスロ用の会員カード）を判別するために付してある。したがって、この場合の識別ＩＤに付してある先頭記号Ａは、カードがプリペイドカードであることを示している。
【００６０】
図６に示すように、会員カード管理テーブル２１２は、会員カードに記録された会員コード毎に、この会員コード（Ｂ０００００１、Ｂ０００００２・・・）に対応する購入度数、使用度数、残度数などの各種データが記憶されている。本例では、この残度数が各会員カード毎の精算金額となる。また、この場合の会員コードに付してある先頭記号Ｂは、カードがパチンコ用の会員カードであることを示している。
【００６１】
図７−１に示すように、ハウスカード管理テーブル３１１は、ハウスカードの識別ＩＤ毎に、この識別ＩＤ（Ｓ０００００１、Ｓ０００００２・・・）に対応する購入度数、使用度数、残度数などの各種データが記憶されている。本例では、この残度数が各ハウスカード毎の精算金額となる。また、この場合の識別ＩＤに付してある先頭記号Ｓは、カードがハウスカードであることを示している。
【００６２】
図７−２に示すように、会員カード管理テーブル３１２は、会員カードに記録された会員コード毎に、この会員コード（Ｃ０００００１、Ｃ０００００２・・・）に対応する購入度数、使用度数、残度数などの各種データが記憶されている。本例では、この残度数が各会員カード毎の精算金額となる。また、この場合の会員コードに付してある先頭記号Ｃは、カードがパチスロ用の会員カードであることを示している。
【００６３】
次に、図８、９を参照して、本実施例に係る記録媒体精算システムに適用するカード精算処理機５００の詳細について説明する。図８は、カード精算処理機５００の外観を示した正面図、図９は、このカード精算処理機５００の内部構成を示す機能ブロック図である。
【００６４】
図８に示すように、カード精算処理機５００は、筐体５１０の前面に設けた扉体５１１に、上から順に表示部５２０と、カード挿入／返却口５２５と、確認ボタン５３０と、取消ボタン５３５と、紙幣払出口５４０と、硬貨払出口５４５とを備えている。
【００６５】
表示部５２０は、カード精算処理機５００により算定された精算金額などの精算明細データを表示する液晶表示部（ＬＣＤ）である。具体的には、精算制御部５９０（図９）から与えられた入力ガイダンス等の情報を表示するための部分であり、カードの残り度数と精算可能金額などを表示する機能を備えている。
【００６６】
カード挿入／投出口５２５は、遊技客から投入されるプリペイドカードやパチンコ用の会員カード、ハウスカードやパチスロ用の会員カードなどの精算を目的とする記録媒体を受け入れて、これら各カードをカード情報読取部５５０（図９）に取り込む機能を備えている。また、精算処理を中断した後のハウスカードおよび会員カード（パチンコ／パチスロ）を返却するための開口である。なお、プリペイドカードおよびハウスカードは、カード精算処理機５００により精算がおこなわれた場合、カード回収箱５４４（図１）に回収される。また、会員カード（パチンコ／パチスロ）は、これら各カードの記録情報（識別ＩＤ）の読み取り後にはカード挿入／返却口５２５を通じて返却される。
【００６７】
紙幣払出口５４０は、精算をおこなう遊技客に対して、紙幣処理部５７６により算定された金額分の紙幣を払い出すための開口部である。硬貨払出口５４５は、精算をおこなう遊技客に対して、ホッパ５７９によって払い出された硬貨を外部に排出するための投出口である。
【００６８】
確認ボタン５３０および取消ボタン５３５は、それぞれ外部操作入力部として設けたもので、利用客（遊技客）によってＯＮ操作された場合に個別の検出信号を精算制御部５９０（図９）に与えるボタンである。このうち、確認ボタン５３０は、カードが保有する残金（残度数）を精算する意志を確認するとともに、カード精算処理機５００による精算をおこなう機能を備えており、この確認ボタン５３０の押下（ＯＮ）時に、精算金額の払い戻しがおこなわれる。
【００６９】
また、取消ボタン５３５は、カード精算処理機５００による処理を途中で停止させる機能を備えており、この取消ボタン５３５の押下（ＯＮ）時に、カード挿入／返却口５２５から、挿入したカードを返却することができる。
【００７０】
次に、図９を参照して、カード精算処理機５００の内部構成の詳細について説明する。すなわち、図９に示すように、カード精算処理機５００の内部は、カード情報読取部５５０と、第１遊技種別制御部５６０と、第２遊技種別制御部５７０と、紙幣処理部５７６と、紙幣収納部５７７と、紙幣払出部５８０と、硬貨処理部５７８と、ホッパ５７９と、精算制御部５９０と、外部操作入力部５３０、５３５と、第１通信Ｉ／Ｆ部５６５と、第２通信Ｉ／Ｆ部５６６とから構成されている。
【００７１】
カード情報読取部５５０は、カード挿入／投出口５２５から挿入された記録媒体であるプリペイドカード、会員カード、ハウスカードに記録された記録情報（識別ＩＤ）を読み取る機能（リード）機能を有している。具体的には、カード情報読取部５５０の磁気ヘッドにより各カードに記録された磁気記録データを読み取ることができる。ここで、プリペイドカードの場合には、このプリペイドカードに記録された磁気データ（識別ＩＤ／番号、店コード、発行日時等の識別符号）を読み取ることができる。
【００７２】
第１遊技種別制御部５６０は、カード情報読取部５５０により読み取られたカード情報に基づいて、カード挿入／投出口５２５から挿入されたカードが、パチンコシステム用のカード（プリペイドカード／会員カード）であるかを遊技種別に解析（判別）する機能を備えている。また、この遊技種別の判別により、カードがパチンコ用のカードであると判別されたときに、パチンコ用管理装置２００に対して、識別ＩＤの問い合わせをおこない、取得した識別ＩＤに対応する精算情報の取得要求を送信する機能を備えている。
【００７３】
具体的に説明すると、この第１遊技種別制御部５６０は、プリペイドカードの記録情報（識別ＩＤ）を第１通信Ｉ／Ｆ部５６５を介して、パチンコ用管理装置２００の通信Ｉ／Ｆ部２７０に送信して精算情報（精算用データ）を要求し、この要求に応じてパチンコ用管理装置２００（ＣＰＵ２３０）は、プリペイドカード管理テーブル２１１の中から識別ＩＤに対応する残金情報を抽出し、この抽出した残金情報を精算情報として、カード精算処理機５００に返信する。一方、カード精算処理機５００は、パチンコ用の管理装置２００から送信された残金データを精算情報として受信し、この精算情報に基づいて精算金の払い出しをおこなうようにしている。
【００７４】
第２遊技種別制御部５７０は、カード情報読取部５５０により読み取られたカード情報に基づいて、カード挿入／投出口５２５から挿入されたカードが、パチスロ用のカード（ハウスカード／会員カード）であるかを遊技種別に解析（判別）する機能を備えている。また、この遊技種別の判別により、カードがパチスロ用のカード（ハウスカード／会員カード）であると識別されたときに、パチスロ用管理装置３００に対して、取得した識別ＩＤに対応する精算情報の取得要求をおこなう機能を備えている。
【００７５】
具体的に説明すると、この第２遊技種別制御部５７０は、ハウスカードの記録情報（識別ＩＤ）を第２通信Ｉ／Ｆ部５６６を介して、パチスロ用管理装置３００の通信Ｉ／Ｆ部３８０に送信して精算情報（精算用データ）を要求し、この要求に応じてパチスロ用管理装置３００（ＣＰＵ３４０）は、ハウスカード管理テーブル３１１の中から識別ＩＤに対応する残金情報を抽出し、この抽出した残金情報を精算情報として、カード精算処理機５００に返信する。一方、カード精算処理機５００は、パチスロ用の管理装置３００から送信された残金データを精算情報として受信し、この精算情報に基づいて精算金の払い出しをおこなうようにしている。
【００７６】
第１通信Ｉ／Ｆ部５６５は、パチンコ用管理装置２００の通信Ｉ／Ｆ部２７０との間で、通信を制御する機能を、第２通信Ｉ／Ｆ部５６６は、パチスロ用管理装置３００の通信Ｉ／Ｆ部３８０との間で、通信を制御する機能を備えている。
【００７７】
紙幣処理部５７６は、精算をおこなう遊技客に対して紙幣収納部５７７内に収納された紙幣を投出する処理部である。具体的には、精算制御部５９０からの制御指示に応じた精算金額の紙幣を紙幣収納部５７７から払い出す機能を有する。紙幣払出部５８０は、紙幣収納部５７７から払い出された紙幣を、紙幣払出口５４０を通じて実際に払い出す機能を有する。
【００７８】
精算制御部５９０は、カード精算処理機５００における全体制御を統括する機能を備えている。また、この精算制御部５９０は、第１通信Ｉ／Ｆ部５６５と第２通信Ｉ／Ｆ部５６６を通じて外部と適宜情報交換することが可能である。このため、本実施例１の場合、第１通信Ｉ／Ｆ部５６５、５６６が、島コントローラ１１０、１２０を介してパチンコ用管理装置２００およびパチスロ用３００に接続してある。
【００７９】
硬貨処理部５７８は、機器のオペレータによってホッパ５７９内に補填された１００円／５００円硬貨を精算処理時に、このホッパ５７９から硬貨払出口５４５から払い出す機能を備えている。具体的には、硬貨を貯留したホッパ５７９を通じて、硬貨の払い出しを制御する機能を備えており、精算制御部５９０からの制御信号に応じた金額の硬貨をホッパ５７９から払い出すための部分である。
【００８０】
（記録媒体精算システムによるカード精算処理手順）
以下、図１０および図１１を参照して、上述した記録媒体精算システムにおけるカード精算処理手順について詳細に説明する。図１０は、本実施例の記録媒体精算システムによる精算処理方法の詳細を示すフローチャートであり、本フローチャートでは、パチンコ用管理装置２００とカード精算処理機５００との間でおこなわれる詳細な制御手順を示している（パチンコ用制御モード）。また、図１１のフローチャートでは、カード精算処理機５００とパチスロ用管理装置３００との間でおこなわれる詳細な制御手順を示している（パチスロ用制御モード）。
【００８１】
ここで、図１０のフローチャートで示す処理手順において、一例として、カード精算処理機５００のカード挿入／返却口５２５から挿入された精算用のカードは、パチンコ用のカード（プリペイドカード）であるとして説明する。また、このプリペイドカードに記録されたカード情報（識別ＩＤ）は「Ａ０００００３」であり、プリペイドカード管理テーブル２１１（図５）内に千円の残金（残度数１０）が価値付けされて記憶されているものとして説明する。
【００８２】
すなわち、図１０のフローチャートに示すように、先ず、待機状態にあるカード精算処理機５００のカード挿入／返却口５２５（図８）に、何れかの精算を目的とするカード（プリペイドカード／ハウスカード）が挿入されると（ステップＳ１００肯定）、次いで、このカード挿入／返却口５２５から挿入されたカードのカード情報（識別ＩＤ）が読み取り可能か否かの判定をおこなう（ステップＳ１１０）。以下、カード情報の読み取りが可能な場合には（ステップＳ１１０肯定）、カード情報読取部５５０（図９）によりカードに記録されたカード情報を読み取り（ステップＳ１２０）、この読み取り処理により、カードから個別のカード情報（識別ＩＤ）を取得する（ステップＳ１３０）。
【００８３】
なお、ステップＳ１１０の判定により、カード情報の読み取りが不可能な場合は、その旨（読み取り不可理由）をカード精算処理機５００の表示部５２０（図８）に表示し（ステップＳ１１１）、挿入されたカードをカード挿入／返却口５２５から返却し（ステップＳ１１２）、処理を終了する。
【００８４】
次いで、ステップＳ１３０により取得したカード情報（識別ＩＤ）を第１、２遊技種別制御部５６０、５７０にそれぞれ通知（送信）する（ステップＳ１４０）。以下、第１、２遊技種別制御部５６０、５７０では、通知されたカード情報の解析をおこない（ステップＳ１５０）、次いで、ステップＳ１６０に移行し、このステップＳ１６０では、カードの種別判定処理をおこなう（ステップＳ１６０）。このように、カード情報読取部５５０から通知されるカード情報（識別ＩＤ）は、第１遊技種別制御部５６０と第２遊技種別制御部５７０とに、ほぼ同時に送信される。
【００８５】
なお、このステップＳ１６０によるカードの種別判定処理は、第１遊技種別制御部５６０および第２遊技種別制御部５７０によるカードの種別判定処理であり、第１遊技種別制御部５６０では、挿入されたカードがパチンコシステム用のカードであるかの判定（解析）をおこない、第２遊技種別制御部５７０では、挿入されたカードがパチスロシステム用のカードであるかの判定（解析）をおこなう。
【００８６】
ここで、挿入されたカードがパチンコシステム用のカードかパチスロ用のカードであるかの判定は、カード情報読取部５５０により読み取られた識別ＩＤ（会員コード）に基づいて、第１遊技種別制御部５６０および第２遊技種別制御部５７０によりおこなうことができる。すなわち、前述したように、プリペイドカードおよびハウスカードに記録されている識別ＩＤと、パチンコ用の会員カードおよびパチスロ用の会員カードに記録されている会員コードの先頭記号には、これら４種類のカード（プリペイドカード、パチンコ用の会員カード、ハウスカード、パチスロ用の会員カード）を判別するために判別符号が付してある。
【００８７】
具体的には、図５〜図７−１、図７−２に示すように、先頭記号Ａは、カードがプリペイドカードであることを、先頭記号Ｂは、カードがパチンコ用の会員カードであることを、先頭記号Ｓは、カードがハウスカードであることを、先頭記号Ｃは、カードがパチスロ用の会員カードであることをそれぞれ示している。以上のように、カード情報読取部５５０により読み取られたカード種別符号に基づいて、挿入されたカードが４種類のカード（プリペイドカード、パチンコ用の会員カード、ハウスカード、パチスロ用の会員カード）のどれかであるかを判別するようにしている。なお、図１０のステップＳ１６０によるカードデータ（識別ＩＤ）の判定は、挿入されたカードがパチンコ用のカード（プリペイドカード）であるかを問い合わせる処理である。
【００８８】
次いで、ステップＳ１６０によるカードの種別判定により、カードがパチンコシステム用のカードであると判定された場合には（ステップＳ１７０肯定）、取得したカード情報をパチンコ用管理装置２００に送信する（ステップＳ１８０）。すなわち、本例の場合、前述したように、挿入されたカードにはプリペイドカードを示す「Ａ０００００３」の識別ＩＤが記録されているため、パチンコ用管理装置２００に対して、取得した識別ＩＤに対応する残金情報の問い合わせをおこなう処理に移行する。
【００８９】
なお、ステップＳ１７０の判定によりカードがパチンコ用のカードでないと判定された場合には（ステップＳ１７０否定）、パチスロ用精算処理モードに移行することとなる（図１１のステップＳ１８０以降の処理）。
【００９０】
一方、パチンコ用管理装置２００では、第１遊技種別制御部５６０から送信されたカード情報を受信すると（ステップＳ２００肯定）、この受信したカード情報（識別ＩＤ）に基づいて、識別ＩＤに関連付けられた残金情報を検索する（ステップＳ２１０）。具体的には、プリペイドカード管理テーブル２１１（図５）から識別ＩＤに対応する残金情報の検索をおこない、この検索により残金情報を取得した場合には（ステップＳ２２０肯定）、この取得した残金情報を精算情報として通信Ｉ／Ｆ部２７０を通じて、カード精算処理機５００の第１通信Ｉ／Ｆ５６５から第１遊技種別制御部５６０に送信する（ステップＳ２３０）。
【００９１】
カード精算処理機５００は、ステップＳ２３０によりパチンコ用管理装置２００から送信された識別ＩＤおよび精算金額情報を受信すると（ステップＳ２４０）、次いで、精算金額が有るかの判定をおこない（ステップＳ２５０）、精算金額が有る場合には（ステップＳ２５０肯定）、第１遊技種別制御部５６０から精算制御部５９０に対して、取得した精算金額の通知をおこなう（ステップＳ２６０）。
【００９２】
なお、ステップＳ２５０の判定により精算金額がないと（０円）判定された場合には（ステップＳ２５０否定）、表示部５２０（図８）にその旨（精算金額「０」）を表示し（ステップＳ２５５）、挿入されたカードをカード挿入／返却口５２５から返却し（ステップＳ２５６）、処理を終了する（エンド）。
【００９３】
ここで、本例の場合、プリペイドカードは、カード情報としての識別ＩＤが「Ａ０００００３」であり、この識別ＩＤに対応するプリペイドカード管理テーブル２１１内（図５参照）に千円の残金が価値付けされて記憶されているため、前記ステップＳ２３０により精算制御部５９０に送信される精算情報（精算金額）は千円となる。
【００９４】
すなわち、精精算制御部５９０は、第１遊技種別制御部５６０から精算金額が通知されると、この精算金額を表示部５２０に表示する表示指令を通知する。具体的には、表示部５２０によりカードの残金（千円）がガイダンス表示されるものとなる（ステップＳ２７０）。この表示部５２０によるガイダンス表示は、例えば、「プリペイドカードの残額、１０００円を精算します」、「１０００円が精算されます、よろしいですか？」などである。なお、このとき遊技客により取消ボタン５３５（図８）が押下（ＯＮ）されると精算処理は中止となり、カードはカード挿入／返却口５２５を通じて返却されることとなる。
【００９５】
以下、ステップＳ２８０に移行し、遊技客によりカード精算処理機５００の確認ボタン５３０が押下（ＯＮ）されたことが判定されると（ステップＳ２８０肯定）、精算制御部５９０からは、表示部５２０に対して表示した残金分に対応した貨幣の払い出し指示が送出され（ステップＳ２９０）、これによって、貨幣を硬貨払出口５４５あるいは紙幣払出口５４０に投出する貨幣払い出し処理をおこなう（ステップＳ３００）。
【００９６】
以下、ステップＳ３１０によりカードが会員カードであるかの判定をおこない（ステップＳ３１０）、カードが会員カードである場合は（ステップＳ３１０肯定）、この会員カードをカード挿入／返却口５２５から返却し（ステップＳ３２０）、カード精算処理機５００による全ての処理が終了となる（エンド）。また、ステップＳ３１０の判定によりカードが会員カードでない場合は（ステップＳ３１０否定）、カードの返却をおこなうことなくそのまま処理は終了となる（エンド）。なお、本例の場合、カードはプリペイドカードであるため、このプリペイドカードは、カード回収箱５４４（図１）に回収されるものとなる。
【００９７】
次に、図１１を参照してカード精算処理機５００とパチスロ用管理装置３００（Ｔ／Ｃ）との間でおこなわれる詳細な制御手順を説明する（パチスロ用精算制御モード）。なお、この図１１に示すフローチャートには、前記図１０に示したフローチャートと同様の処理手順があるため、本例で示す「パチスロ用制御モード」に関わる特徴部分以外の詳細な説明は省略する。
【００９８】
ここで、図１１の例では、一例として、カード精算処理機５００に挿入された精算用のカードが、パチスロ用のカード（ハウスカード）であるとして説明する。また、このハウスカードに記録されたカード情報（識別ＩＤ）は「Ｓ０００００３」であり、ハウスカード管理テーブル３１１（図７−１）内に４千円の残金が価値付けされて記憶されているものとして説明する。
【００９９】
すなわち、図１１のフローチャートに示すように、先ず、待機状態にあるカード精算処理機５００のカード挿入／返却口５２５に、何れかの精算を目的とするカード（プリペイドカード／ハウスカード）が挿入されると（ステップＳ１００肯定）、次いで、このカード挿入／返却口５２５に挿入されたカードのカード情報が読み取り可能か否かの判定をおこなう（ステップＳ１１０）。以下、カード情報の読み取りが可能な場合には（ステップＳ１１０肯定）、カード情報読取部５５０（図９）により、投入されたカードに記録されたカード情報を読み取り（ステップＳ１２０）、この読み取り処理により、カードから個別のカード情報（識別ＩＤ）を取得する（ステップＳ１３０）。
【０１００】
なお、ステップＳ１１０の判定により、カード情報の読み取りが不可能な場合は、その旨（読み取り不可理由）をカード精算処理機５００の表示部５２０に表示し（ステップＳ１１１）、挿入されたカードをカード挿入／返却口５２５から返却し（ステップＳ１１２）、処理を終了する。
【０１０１】
以下、ステップＳ１３０により、取得したカード情報（識別ＩＤ）を第１、２遊技種別制御部５６０、５７０にそれぞれ通知（送信）する（ステップＳ１４０）。次いで、第１、２遊技種別制御部５６０、５７０は、通知されたカード情報の解析をおこない（ステップＳ１５０）、以下、ステップＳ１６０に移行し、このステップＳ１６０では、カードの種別判定処理をおこなう（ステップＳ１６０）。
【０１０２】
ここで、このステップＳ１６０によるカードの種別判定処理は、第１、２遊技種別制御部５６０、５７０によるカードの種別判定処理であり、第１遊技種別制御部５６０では、挿入されたカードがパチンコシステム用のカードであるかの判別をおこない、第２遊技種別制御部５７０では、挿入されたカードがパチスロシステム用のカードであるかの判別をおこなう。なお、このステップＳ１６０によるカードデータ（識別ＩＤ）の送信は、挿入されたカードがパチスロ用のカード（ハウスカード）であるかを問い合わせる処理である。前述したように、挿入されたカードがパチンコシステム用のカードかパチスロ用のカードであるかの判定は、カード情報読取部５５０により読み取られた識別ＩＤ（会員コード）に基づいて、第１遊技種別制御部５６０および第２遊技種別制御部５７０によりおこなうことができる。
【０１０３】
すなわち、ステップＳ１７０によりカードがパチスロ用のカードであるかの判定をおこない（ステップＳ１７０）、カードがパチスロシステム用のカード（本例では、ハウスカード）であると判定された場合には（ステップＳ１７０肯定）、取得したカード情報をパチスロ用管理装置３００に送信する（ステップＳ１８０）。前述したように、本例の場合、カードにはハウスカードを示す「Ｓ０００００３」の識別ＩＤが記録されているため、パチスロ用管理装置３００に対して、取得した識別ＩＤに対応する残金情報の問い合わせをおこなう処理に移行する。なお、ステップＳ１７０の判定によりカードがパチスロ用のカードでないと判定された場合には（ステップＳ１７０否定）、前述した図１０に示したパチンコ用精算処理モードによる処理手順に移行することとなる（図１０のステップＳ１８０以降の処理）。
【０１０４】
一方、パチスロ用管理装置３００では、第２遊技種別制御部５７０から送信されたカード情報を受信すると（ステップＳ２０１肯定）、この受信したカード情報（識別ＩＤ）に基づいて、識別ＩＤに関連付けられた残金情報を検索する（ステップＳ２１１）。具体的には、ハウスカード管理テーブル３１１（図７−１）から取得した識別ＩＤに対応する残金情報の検索をおこない、この検索により残金情報を取得した場合には（ステップＳ２２１肯定）、この取得した残金情報を精算情報として通信Ｉ／Ｆ部３８０（図４）を通じて、カード精算処理機５００の第２通信Ｉ／Ｆ部５６６から第２遊技種別制御部５７０に送信する（ステップＳ２３１）。
【０１０５】
カード精算処理機５００は、パチスロ用管理装置３００から送信された識別ＩＤおよび精算金額情報を受信すると（ステップＳ２４０）、次いで、精算金額が有るかの判定をおこない（ステップＳ２５０）、精算金額が有る場合には（ステップＳ２５０肯定）、第２遊技種別制御部５７０から精算制御部５９０に対して、精算金額の通知をおこなう（ステップＳ２６０）。
【０１０６】
なお、ステップＳ２５０の判定により精算金額がないと（０円）判定された場合には（ステップＳ２５０否定）、表示部５２０（図８）にその旨（精算金額「０」）を表示し（ステップＳ２５５）、挿入されたカードをカード挿入／返却口５２５から返却し（ステップＳ２５６）、処理を終了する（エンド）。
【０１０７】
ここで、本例の場合、ハウスカードは、カード情報としての識別ＩＤが「Ｓ０００００３」であるため、この識別ＩＤに対応するハウスカード管理テーブル３１１内（図７−１参照）に四千円の残金が価値付けされて記憶されている。これにより、前記ステップＳ２３１により精算制御部５９０に送信される精算情報（精算金額）は四千円となる。
【０１０８】
ステップＳ２６０の処理により、精算制御部５９０は、第２遊技種別制御部５７０から精算金額が通知されると、精算金額を表示部５２０に表示する表示指令を通知する。具体的には、表示部５２０によりカードの残金（四千円）がガイダンス表示されるものとなる（ステップＳ２７０）。この表示部５２０によるガイダンス表示は、例えば、「ハウスカードの残額、４０００円を精算します」「４０００円が精算されます、よろしいですか？」などである。なお、このとき遊技客により取消ボタン５３５（図８）が押下（ＯＮ）されると精算処理は中止となる。
【０１０９】
次いで、ステップＳ２８０に移行し、遊技客によりカード精算処理機５００の確認ボタン５３０が押下（ＯＮ）されたことが判定されると（ステップＳ２８０肯定）、精算制御部５９０からは、表示部５２０に対して表示した残金分に対応した貨幣の払い出し指示が送出され（ステップＳ２９０）、これによって、貨幣を硬貨払出口５４５或は、紙幣払出口５４０から投出する貨幣払い出し処理をおこなう（ステップＳ３００）。
【０１１０】
以下、ステップＳ３１０によりカードが会員カードであるかの判定をおこない（ステップＳ３１０）、カードが会員カードである場合は（ステップＳ３１０肯定）、この会員カードをカード挿入／返却口５２５から返却し（ステップＳ３２０）、カード精算処理機５００による全ての処理が終了となる（エンド）。また、ステップＳ３１０の判定によりカードが会員カードでない場合は（ステップＳ３１０否定）、カードの返却をおこなうことなくそのまま処理は終了となる（エンド）。なお、本例の場合、カードはハウスカードであるため、このハウスドカードは、返却されることなく、カード回収箱５４４（図１）に回収されるものとなる。
【０１１１】
以上説明したように、本発明に係る記録媒体精算システムによれば、カード挿入／返却口５２５から投入された記録媒体（プリペイドカード／ハウスカード）の記録情報（識別ＩＤ）をカード情報読取部５５０により読み取り、読み取ったカード情報を第1遊技種別制御部５６０および第２遊技種別制御部５７０により、精算目的のカードがパチンコ用のカードかパチスロ用のカードかを解析し、解析された遊技種別に基づいて、パチスロ用の管理装置３００かパチスロ用の管理装置３００のうち、いずれか一方の管理装置から残金情報を精算情報として取得するので、複数の異なる種類のカードを精算でき、これにより、複数の異なる種類のカード（プリペイドカード／会員カードおよびハウスカード）についての精算処理を１台のカード精算処理機５００でおこなうことができる。
【０１１２】
（他の実施例）
さて、これまで本発明の実施例について説明したが、本発明は上述した実施例以外にも、上記特許請求の範囲に記載した技術的思想の範囲内において、種々の異なる実施例にて実施することもできる。以下では、本実施例に関する種々の変形例を順に説明する。
【０１１３】
すなわち、上述した実施例では、プリペイドカード、会員カード、ハウスカードの記録情報を読取るカードリーダ（カード情報読取部５５０）を共通化しているが、それぞれ別のカード挿入口、カード搬送機構、カードリーダを用いて読み取るようにしてもよい。なお、上述した実施例では、遊技客か精算用のカードを挿入するためのカード挿入／返却口５２５を１箇所としているが、遊技ホール内でＩＣコインなどを適用する場合は、別途、ＩＣコイン用のＩＣコイン挿入／返却口を設けることで、本発明をＩＣコイン用の精算システムとして適用させることができる。
【０１１４】
また、遊技ホール内での時間帯によって、パチンコ用システムによる精算か、パチスロ用システムによる精算のうち、いずれか一方による精算使用制限を設定してもよい。具体的には、遊技ホールにおける時間帯を判定するタイマ（時間帯取得手段）を備える構成とし、このタイマにより判定された時間帯に基づいて、自動的に第１遊技種別制御部５６０か第２遊技種別制御部５７０による精算情報の取得要求を選択して切り換えるようにする。例えば、１２時から１４時までは、パチンコのみの精算をおこなえるように設定した場合には、特定の遊技客による利便性を向上させることができるうえ、遊技時間を延長させることができ、遊技ホールの売上向上に寄与することができる。
【０１１５】
また、上述した実施例では、カード精算処理機とした構成を説明したが、カード精算処理機だけでなく、カード券売機の機能を一体化する構成としてもよい。また、精算カードの媒体がパチンコシステムカードと、メダルシステムカードとで異なる場合は、別途、媒体に対応するカードリーダを設けるようにしてもよい。また、カード精算機にて、パチンコ用のカードおよびパチスロ用のカードに対して、追加入金をおこなえるようにしてもよい。
【０１１６】
また、上述した実施例では、パチンコ遊技およびパチスロ遊技によるカード精算機能を備えたカード精算処理機とした説明したが、このカード精算処理機は、パチンコ遊技およびパチスロ遊技とを両方おこなう会員の獲得しているサービスポイントを合算する機能を備えるようにしてもよい。すなわち、サービスポイントとは、会員による会員カードの利用（来店回数）や遊技媒体（パチンコ玉／メダル）の購入に合わせて所定のポイントを付加する特典であり、このサービスポイントのポイント数によりドリンクサービスや優先入場などをすることができる。具体的に説明すると、カード精算処理機に対する会員カードの挿入時に、この会員カードに記録された会員コードの読み取りにともない、パチンコ用ターミナルコントローラ２００とパチスロ用ターミナルコントローラ３００に対して、読み取った会員コードに関連付けたサービスポイントを取得し、これら各サービスポイントを合算する機能を備えるようにする。例えば、パチンコ玉の購入により獲得しているサービスポイントが５０Ｐで、メダルの購入により獲得しているサービスポイントが１５０Ｐであった場合、合算により（５０Ｐ＋１５０Ｐ＝２００Ｐ）２００Ｐに相当するサービスを受けることができる。この場合、会員に対する利便性を向上するとともに、この会員に対する特典として設定されているサービスポイント制度を有効に利用することができる。
【産業上の利用可能性】
【０１１７】
以上のように、本発明に係る記録媒体精算システムは、パチンコ、スロットマシンなど遊技機の種別が異なる遊技機が設置された遊技ホールにおいて、プリペイドカードやハウスカードなどの記録媒体を受け入れることにより貨幣を精算する記録媒体精算システムに適している。
【図面の簡単な説明】
【０１１８】
【図１】本実施例に係る記録媒体精算装置を備えた記録媒体精算システムの全体構成を示すシステム構成図である。
【図２】本実施例に係る記録媒体精算システムの全体構成を示すシステム構成図である。
【図３】パチンコ用管理装置の構成を示す機能ブロック図である。
【図４】パチスロ用管理装置の構成を示す機能ブロック図である。
【図５】プリペイドカード管理テーブルの記憶内容を示す図である。
【図６】会員カード管理テーブルの記憶内容を示す図である。
【図７−１】ハウスカード管理テーブルの記憶内容を示す図である。
【図７−２】会員カード管理テーブルの記憶内容を示す図である。
【図８】カード精算処理装置の外観を示す正面図である。
【図９】カード精算処理装置の内部構成を示す機能ブロック図である。
【図１０】記録媒体精算システムによるカード精算処理手順の流れを示すフローチャートである（１）。
【図１１】記録媒体精算システムによるカード精算処理手順の流れを示すフローチャートである（２）。
【符号の説明】
【０１１９】
１００  記録媒体精算システム
１１０、１２０  島コントローラ
１３０  パチンコ機
１４０  カード処理機
１５０  パチスロ機
１６０  メダル貸出機
１８０  カード発行機
２００  パチンコ用管理装置（Ｔ／Ｃ）
２１１  プリペイドカード管理テーブル
２１２、３１２  会員カード管理テーブル
２１０、３１０  ＲＡＭ
２３０、３４０  ＣＰＵ
２４０、３５０  ＲＯＭ
２５０、３６０  入出部
２６０、３７０、５２０  表示部
２７０、３８０  通信Ｉ／Ｆ部
３００  パチスロ用管理装置（Ｔ／Ｃ）
３１１  ハウスカード管理テーブル
５００  カード精算処理機
５１０  筐体
５２５  カード挿入／返却口
５３０  確認ボタン
５３５  取消ボタン
５４０  紙幣払出口
５４４  カード回収箱
５４５  硬貨払出口
５５０  カード情報読取部
５６０  第１遊技種別制御部
５６５  第１通信Ｉ／Ｆ部
５６６  第２通信Ｉ／Ｆ部
５７０  第２遊技種別制御部
５７６  紙幣処理部
５７７  紙幣収納部
５７８  硬貨処理部
５７９  ホッパ
５８０  紙幣払出部
５９０  精算制御部
【図１】
2005342164.tif 000003
【図２】
2005342164.tif 000004
【図３】
2005342164.tif 000005
【図４】
2005342164.tif 000006
【図５】
2005342164.tif 000007
【図６】
2005342164.tif 000008
【図７−１】
2005342164.tif 000009
【図７−２】
2005342164.tif 000010
【図８】
2005342164.tif 000011
【図９】
2005342164.tif 000012
【図１０】
2005342164.tif 000013
【図１１】
2005342164.tif 000014